(57)【要約】      （修正有）【課題】本棚など既存の家具の棚を活用しつつ、既存のスペースを損ねることなく、又、壁にネジで棚を設けたりせずに、本棚等の家具に後付けで収納スペースを増やすことができる安価な棚を提供する。【解決手段】本棚１１などの家具の垂直方向の枠１３や既存の棚１２に支持具を固定し、支持具部分から伸びた棚１０を利用して家具の外側に高さに制約の無い新たな収納スペースを設ける。【選択図】図１
0003210403.tif 000002
【実用新案登録請求の範囲】
【請求項１】
既存の本棚などの家具に取り付けられる少なくとも金属、木、及び樹脂の材料の内の少なくとも１種類を使用して製造された後付けタイプの棚板であって該家具の垂直方向の枠の一辺を挟む幅が５mmから30mmの間の任意の幅の支持部を持ち、その支持部から該家具の外側方向又は内側方向に収納スペースを設けた事を特徴とする棚板。
【請求項２】
請求項１の後付けタイプの棚板であって、該家具の垂直方向の枠の一辺を挟む支持部を持ち、その支持部の一部がネジやバネなどで可動式になっている事により支持部で挟む寸法が任意に変えられ、枠の厚みに拘わらず確実に枠に固定できる機能を持つ事を特徴とする棚板。
【請求項３】
既存の本棚などの家具に取り付けられる少なくとも請求項３に記載の考案は、上記した請求項１〜２のいずれかに記載の考案の特徴点に加え、以下の点を特徴とする。
すなわち該家具の垂直方向の枠と水平方向の棚板の交差点に取り付けることにより固定される支持部を持ち、その支持部に収納スペースを設けた事を特徴とする棚板。
【請求項４】
請求項１〜３のいずれかに記載の家具への後付けタイプの棚板であって、上下を裏返しにしても使用可能になっており、一種類で該家具の枠の右側でも左側でも取り付けることができる事を特徴とする棚板。
【考案の詳細な説明】
【技術分野】
【０００１】
本考案は本棚などの家具に後付けで取り付けできる棚に関するものである。
【背景技術】
【０００２】
本棚などの棚はスペースが限られており、本を収納するとその前にスペースが余っていても飾り物を置くと本の出し入れの邪魔になる。又、スペースの高さは棚の高さで限られており、植物の鉢などを置くのは難しい。棚の幅や高さが可動式で変えられるものがあるが、飾りものに合わせて棚を高くすると本の収納が非効率になり、可動式の棚はコストが高くなるという制約もあった。又、別途、壁に棚を作ると壁にネジで固定する必要があった。
【先行技術文献】
【非特許文献】
【０００３】
【非特許文献１】登録実用新案公報  第３０２２０８９号
【非特許文献２】登録実用新案公報  第３０６７２３６号
【非特許文献３】登録実用新案公報  第３１７４８４１号
【考案の概要】
【考案が解決しようとする課題】
【０００４】
本棚などの家具の棚の既存のスペースを損ねることなく、高さに制限の少ない収納スペースを追加でき、又、壁にネジで固定しなくても済む後付けタイプの棚を安価に提供する。
【課題を解決するための手段】
【０００５】
本考案は、上記した課題を解決するためになされたものであり、以下を特徴とする。
【０００６】
（請求項１）
請求項１に記載の考案は、以下の点を特徴とする。
すなわち、請求項１に記載の考案は本棚などの家具に取り付けられる金属、木、及び樹脂の材料の内の少なくとも１種類を使用して製造された後付けタイプの棚板であって該家具の垂直方向の枠の一辺を挟む幅が５mmから30mmの間の任意の幅の支持部を持ち、その支持部から該家具の外部方向又は内部方向に収納スペースを設けた棚板であることを特徴とする。
【０００７】
（請求項２）
請求項２に記載の考案は、上記した請求項１記載の考案の特徴点に加え、以下の点を特徴とする。
すなわち、家具への後付けタイプの棚板であって、該家具の垂直方向の枠の一辺を挟む支持部を持ち、その支持部の一部がネジやバネなどで可動式になっている事により支持部で挟む寸法が任意に変えられ、枠の厚みに拘わらず確実に枠に固定できる機能を持った棚板である事を特徴とする。
【０００８】
（請求項３）
請求項３に記載の考案は、上記した請求項１〜２のいずれかに記載の考案の特徴点に加え、以下の点を特徴とする。
すなわち該家具の垂直方向の枠と水平方向の棚板の交差点に取り付けることにより固定される支持部を持ち、その支持部に収納スペースを設けた棚板である事を特徴とする。
【０００９】
（請求項４）
請求項４に記載の考案は、上記した請求項１〜３のいずれかに記載の考案の特徴点に加え、以下の点を特徴とする。
すなわち、該後付けタイプの棚板は上下を裏返しにしても使用可能になっており、一種類で該家具の枠の右側でも左側でも取り付けることができる事を特徴とする。
【考案の効果】
【００１０】
請求項１〜４に記載の考案は上記の通りであり、既存の本棚などの棚のスペースを損ねることなく、又、壁にネジ穴をあけることなく簡単に収納スペースを設けることができる。
【図面の簡単な説明】
【００１１】
【図１】本棚と本棚の外枠に取り付ける後付けタイプの棚の一例の斜視図である。
【図２】家具の外枠に取り付ける後付けタイプの棚の形状の変形例の斜視図である。
【図３】家具の外枠に取り付ける後付けタイプの棚の形状の変形例の斜視図である。
【図４】家具の外枠に取り付ける後付けタイプの棚の正面図である。
【図５】家具の外枠に取り付ける後付けタイプの棚であって請求項４にある上下を裏返しても取り付け可能なタイプの棚の右仕様及び左仕様の正面図である。
【図６】家具の外枠に取り付ける後付けタイプの棚で可動支持部の取り付け部を持った例の正面図である。
【図７】本棚の外枠に取り付けた状態の後付けタイプの棚の正面図である。
【図８】本棚に外枠に取り付けた状態の後付けタイプの棚の斜視図である。
【考案を実施するための形態】
【００１２】
本考案の実施形態について、図を参照しながら説明する。
図１は本実施形態に係る後付け棚１０の支持部である１４を本棚１１の側面１３
に取り付け、支持部１４の一部が棚板１２の上に乗ることで固定され本棚１１の外側に棚スペースを設けることができる。
【００１３】
図2は後付け棚１０が本棚１１に取り付けられた状態である。
【００１４】
図3から図５は後付け棚１０の形状の変形例である。図６は後付け棚１０の変形例で上下を逆にしても使用できるようにできており、一つの形状で本棚の右側でも左側でも取り付けられるようになっている。
【００１５】
図７に示される後付け棚は家具の枠を挟む形状になっている支持部の一部１７がネジ１８等で可動となっており、家具の枠の厚みに合わせて支持部を確実に固定できるようになっている。
【符号の説明】
【００１６】
１０    後付け棚の右仕様
１０ａ  後付け棚の左仕様
１１    本棚
１２    本棚の棚  
１３    本棚の外枠
１４    後付け棚の支持部    
１５    後付け棚の棚部
１６    後付け棚の補強リブ  
１７    可動支持部
１８    ネジ
【図１】
0003210403.tif 000003
【図２】
0003210403.tif 000004
【図３】
0003210403.tif 000005
【図４】
0003210403.tif 000006
【図５】
0003210403.tif 000007
【図６】
0003210403.tif 000008
【図７】
0003210403.tif 000009
【図８】
0003210403.tif 000010
【手続補正書】
【提出日】平成28年12月6日(2016.12.6)
【手続補正１】
【補正対象書類名】実用新案登録請求の範囲
【補正対象項目名】請求項３
【補正方法】変更
【補正の内容】
【請求項３】
単位の補正
前記支持部は、前記家具の垂直方向の枠と水平方向の棚板の交差点に取り付けることにより固定される支持部であり、当該支持部に収納スペースを設けた事を特徴とする、請求項１〜２のいずれかに記載の棚板。
【手続補正書】
【提出日】平成29年3月8日(2017.3.8)
【手続補正１】
【補正対象書類名】実用新案登録請求の範囲
【補正対象項目名】請求項３
【補正方法】変更
【補正の内容】
【請求項３】
前記支持部は、前記家具の垂直方向の枠と水平方向の棚板の交差点に取り付けることにより固定される支持部であり、当該支持部に収納スペースを設けた事を特徴とする、請求項１〜２のいずれかに記載の棚板。